(57)【要約】訓練および医療機器テスト用の解剖学的に正確な心臓シミュレータを含む、正常および病状の心臓血管機能をシミュレートするための装置およびシステム。そのシステムと装置は、空気圧で加圧されたチャンバを使用して、心室と心房の収縮を生成する。このシステムは、僧帽弁と大動脈弁をシミュレートする合成弁の相互作用と組み合わせて、拍動流の正確な体積分率と圧力勾配を生成し、人間の心臓のそれを複製するポンプ作用を生成するように設計されている。制御ユニットとセンサを使用することにより、流量、流体圧、心拍数などの１つ以上のパラメータを自動的に制御し、フィードバックループメカニズムを使用して油圧システムのパラメータを調整して、正常な心臓機能、重度の病気または負傷した心臓の状態、および動脈硬化などの圧迫された血管系を含むさまざまな心臓血管状態をシミュレートできる。【選択図】図４Ａ
2022502691.tif 000002
【特許請求の範囲】
【請求項１】
ヒトまたは他の哺乳動物の心臓血管系をシミュレートするための心臓血管シミュレーションシステムであって：
空気圧流体を生成しまたは前記システムを通って移動させるように構成された空気圧フィードバック回路と、油圧流体を前記システムを通って移動させるように構成された油圧フィードバック回路と、に動作可能に結合された制御ユニットであって、
前記空気圧フィードバック回路または前記油圧フィードバック回路は、心臓シミュレータモジュールに動作可能に接続され、コンピュータベースの前記制御ユニットは、前記システム内に配置されたセンサから得られたデータを受信または処理し、そして前記心臓シミュレータモジュールの少なくとも１つの要素を、前記受信または処理された前記データに基づいて機能させるように構成される、制御ユニットを有し；
前記システム内に配置される少なくとも１つのセンサは、前記空気圧フィードバック回路の１つまたは複数のパラメータの変化を検出または応答するように構成され；
前記システム内に配置される少なくとも１つのセンサは、前記油圧フィードバック回路の１つまたは複数のパラメータの変化を検出または応答するように構成され；
空気圧加圧用に構成される、前記心臓シミュレータモジュールは、心臓の左側または右側の解剖学的構造を表す複数のチャンバを含み；
前記制御ユニットは、正常または疾患状態の心臓血管系の生理学的に正確な表現を提供し、それにより、１つまたは複数の動作パラメータが、手動調整を必要とせずに自動的に制御される、
ことを特徴とする、ヒトまたは他の哺乳動物の心臓血管系をシミュレートするための心臓血管シミュレーションシステム。
【請求項２】
前記心臓シミュレータモジュールは４つのチャンバを有し、各前記チャンバが心臓の左側および右側の解剖学的構造を表し、ここで少なくとも１つのチャンバは左心房を表し、少なくとも１つの第２のチャンバは左心室を表し、少なくとも１つの第３のチャンバは右心房を表し、少なくとも１つの第４のチャンバは右心室を表す、
ことを特徴とする請求項１に記載のヒトまたは他の哺乳動物の心臓血管系をシミュレートするための心臓血管シミュレーションシステム。
【請求項３】
前記左心房および左心室チャンバが前記右心房および右心室チャンバから壁によって分離されている、ことを特徴とする請求項１に記載のヒトまたは他の哺乳動物の心臓血管系をシミュレートするための心臓血管シミュレーションシステム。  
【請求項４】
前記左心房チャンバが弾性膜壁内の空洞を有する、ことを特徴とする請求項２に記載のヒトまたは他の哺乳動物の心臓血管系をシミュレートするための心臓血管シミュレーションシステム。
【請求項５】
前記左心室チャンバが弾性膜壁内の空洞を有する、ことを特徴とする請求項２に記載のヒトまたは他の哺乳動物の心臓血管系をシミュレートするための心臓血管シミュレーションシステム。  
【請求項６】
前記右心房チャンバが弾性膜壁内の空洞を有する、ことを特徴とする請求項２に記載のヒトまたは他の哺乳動物の心臓血管系をシミュレートするための心臓血管シミュレーションシステム。  
【請求項７】
前記右心室チャンバが弾性膜壁内の空洞を有する、ことを特徴とする請求項２に記載のヒトまたは他の哺乳動物の心臓血管系をシミュレートするための心臓血管シミュレーションシステム。
【請求項８】
前記心臓シミュレータモジュールが軟質プラスチック材料でできている、ことを特徴とする請求項１に記載のヒトまたは他の哺乳動物の心臓血管系をシミュレートするための心臓血管シミュレーションシステム。  
【請求項９】
前記左心房チャンバまたは前記左心室チャンバに空気圧で接続された空気圧モジュールをさらに有する、ことを特徴とする請求項１に記載のヒトまたは他の哺乳動物の心臓血管系をシミュレートするための心臓血管シミュレーションシステム。  
【請求項１０】
前記空気圧モジュールが、前記左心房チャンバまたは前記左心室チャンバに圧縮空気を提供するように構成される、ことを特徴とする請求項１に記載のヒトまたは他の哺乳動物の心臓血管系をシミュレートするための心臓血管シミュレーションシステム。
【請求項１１】
前記システム内の流体の流量を調整するように構成された少なくとも１つの抵抗弁をさらに有する、ことを特徴とする請求項１に記載のヒトまたは他の哺乳動物の心臓血管系をシミュレートするための心臓血管シミュレーションシステム。  
【請求項１２】
前記少なくとも１つの抵抗弁が電気的に調整可能な流体抵抗弁である、ことを特徴とする請求項２に記載のヒトまたは他の哺乳動物の心臓血管系をシミュレートするための心臓血管シミュレーションシステム。  
【請求項１３】
前記制御ユニットは、前記システム内の加圧空気の生成のタイミングまたは速度を制御するように構成される、ことを特徴とする請求項１に記載のヒトまたは他の哺乳動物の心臓血管系をシミュレートするための心臓血管シミュレーションシステム。  
【請求項１４】
前記空気圧回路または前記油圧回路は、血管系システムモジュールにさらにリンクされ、そして前記心臓システムモジュールの少なくとも一部に流体的に接続され、ここで前記血管系システムモジュールは、ヒトまたは他の哺乳動物の動脈または静脈の特性を有するように適合される、少なくとも１つのチューブを有する、ことを特徴とする請求項９に記載のヒトまたは他の哺乳動物の心臓血管系をシミュレートするための心臓血管シミュレーションシステム。  
【請求項１５】
頭部モジュールをさらに有し、前記頭部モジュールは、ゲル状材料の中に懸架され、そして前記心臓システムモジュールまたは前記血管系システムモジュールに流体接続された複数のチューブを有する、ことを特徴とする請求項１に記載のヒトまたは他の哺乳動物の心臓血管系をシミュレートするための心臓血管シミュレーションシステム。
【請求項１６】
前記頭部モジュールに入る前記流体の流量を調整するように構成される少なくとも１つの抵抗弁をさらに有する、ことを特徴とする請求項１５に記載のヒトまたは他の哺乳動物の心臓血管系をシミュレートするための心臓血管シミュレーションシステム。  
【請求項１７】
頭部領域に関連しない流体の体積流量を電気信号に変換するように構成された少なくとも１つの流量計、または前記頭部領域に関連する流体の体積流量を電気信号に変換するように構成された少なくとも１つの流量計をさらに有する、ことを特徴とする請求項１に記載のヒトまたは他の哺乳動物の心臓血管系をシミュレートするための心臓血管シミュレーションシステム。
【請求項１８】
前記心房チャンバの少なくとも一部および前記心室アセンブリの少なくとも一部に流体接続され、加圧または圧縮空気を供給するように構成される、空気圧供給装置をさらに有する、ことを特徴とする請求項１に記載のヒトまたは他の哺乳動物の心臓血管系をシミュレートするための心臓血管シミュレーションシステム。  
【請求項１９】
前記流体をその中に受け入れるように構成された流体リザーバをさらに備える、ことを特徴とする、請求項１に記載のヒトまたは他の哺乳動物の心臓血管系をシミュレートするための心臓血管シミュレーションシステム。  
【請求項２０】
前記システム内の流体を加熱するように構成された加熱装置をさらに備える、ことを特徴とする請求項１に記載のヒトまたは他の哺乳動物の心臓血管系をシミュレートするための心臓血管シミュレーションシステム。
【請求項２１】
前記流体が血液の特徴を有するように適合されている、ことを特徴とする請求項１０に記載のヒトまたは他の哺乳動物の心臓血管系をシミュレートするための心臓血管シミュレーションシステム。  
【請求項２２】
前記制御ユニットに動作可能に接続されたコンピュータをさらに備える、ことを特徴とする請求項１に記載のヒトまたは他の哺乳動物の心臓血管系をシミュレートするための心臓血管シミュレーションシステム。  
【請求項２３】
前記コンピュータが前記制御ユニットに無線でリンクされている、ことを特徴とする請求項２２に記載のヒトまたは他の哺乳動物の心臓血管系をシミュレートするための心臓血管シミュレーションシステム。  
【請求項２４】
前記心房チャンバは、患者の心房を解剖学的にモデル化している、ことを特徴とする請求項２に記載のヒトまたは他の哺乳動物の心臓血管系をシミュレートするための心臓血管シミュレーションシステム。  
【請求項２５】
前記心室チャンバは、患者の心室を解剖学的にモデル化している、ことを特徴とする請求項２に記載のヒトまたは他の哺乳動物の心臓血管系をシミュレートするための心臓血管シミュレーションシステム。  
【請求項２６】
調整可能な周辺器官／システムシミュレータモジュールをさらに有する、ことを特徴とする請求項１に記載のヒトまたは他の哺乳動物の心臓血管系をシミュレートするための心臓血管シミュレーションシステム。  
【請求項２７】
ヒトまたは他の哺乳動物の心臓血管系をシミュレートするための心臓血管シミュレーションシステムであって：
空気圧流体または油圧流体を生成しまたは前記システムを通って移動させるように構成された制御ユニットであって、
コンピュータベースの前記制御ユニットは、前記システム内に配置されたセンサから得られたデータを受信または処理し、そして前記心臓シミュレータモジュールの少なくとも１つの要素を、前記受信または処理されたデータに基づいて機能させるように構成される、制御ユニットと；
前記システム内に配置される少なくとも１つのセンサは、前記空気圧フィードバック回路の１つまたは複数のパラメータの変化を検出または応答するように構成され；
前記システム内に配置される少なくとも１つのセンサは、前記油圧フィードバック回路の１つまたは複数のパラメータの変化を検出または応答するように構成され；
空気圧加圧用に構成される、前記心臓シミュレータモジュールは、心臓の左側または右側の解剖学的構造を表す複数のチャンバを含み；
前記制御ユニットは、正常または疾患状態の心臓血管系の生理学的に正確な表現を提供し、それにより、１つまたは複数の動作パラメータが、手動調整を必要とせずに自動的に制御される、
ことを特徴とする、ヒトまたは他の哺乳動物の心臓血管系をシミュレートするための心臓血管シミュレーションシステム。
【発明の詳細な説明】
【技術分野】
【０００１】
本発明は外科シミュレーションシステム；訓練および医療機器テスト用の解剖学的に正確な心臓シミュレータを含む、正常および病状の心臓血管系の機能をシミュレートするための装置およびシステム；そしてより具体的には、センサおよび他の制御メカニズムを使用してシステムの油圧および／または空気圧要素を自動的に調整して生理学的に代表的な圧力および流量プロファイルを達成する、正常および病状の心臓機能をシミュレートするための装置およびシステム；に関する。
【背景技術】
【０００２】
心臓血管疾患、心臓と血管系に影響を与える疾患、および血管疾患、循環器系に影響を与える疾患は、世界中の何百万もの個人に影響を与える一般的な病状である。血管系疾患は、特定の場所で動脈壁が弱くなる、変形する、または硬化することで現れることがあるが、そのような病状は人体のすべての臓器に影響を及ぼす。長期の血管系疾患状態に関連するリスクを軽減または最小化するためのいくつかのオプションが存在する。重症度に応じて、ライフスタイルの変更、つまり食事療法や運動量の増加、または薬物の使用が役立つ場合がある。他の選択肢が機能しない状況や病気がひどい状況では、外科的介入が依然として主要な治療ツールである。従来の外科的処置は着実に、より低侵襲の血管内技術に置き換えられており、血管内技術におけるそのような低侵襲の進歩は、外科医が血管疾患を治療する方法を変えている。
【０００３】
血管外科手術はこれまで以上に安全であるが、複雑な血管外科手術は患者に巻き添え被害をもたらす可能性がある。リスクのない手術はないが、外科医とそのチームのスキルのレベル、および外科手術を行う際の予期しない驚きを最小限に抑える能力は、患者の合併症や死亡を防ぐために最も重要である。多数の血管疾患手術を行った経験豊富な外科医は、経験の少ない外科医よりも合併症が少なく、そのような外科手術を完了する可能性がはるかに高い。そのような経験は多くの手順を訓練して実行することによって得られるが、利用可能な外科的手順の数は制限要因である。したがって、すべての外科医が、行われる手技のリスクを最小限に抑えるスキルレベルを取得するために必要な数の外科的手技を実行する同じ機会を持つわけではない。さらに、新しい手順が開発されると、上級外科医は必要な経験を得るのが難しいと感じうる。
【０００４】
様々な外科的処置を実践するための訓練装置は、スキルを向上させるために外科医によって使用されており、当技術分野で知られている。例えば、米国特許第８，０１６，５９８号（特許文献１）、米国特許第７，９７６，３１３号（特許文献２）、および米国特許第７，９７６，３１２号（特許文献３）は、患者ケアを教えるための患者シミュレータシステムを記載している。米国特許第７，７９８，８１５号（特許文献４）は、心臓外科訓練環境における心臓の鼓動をシミュレートするための電気機械的ポンピングシステムを開示している。米国特許第７，８６６，９８３号（特許文献５）は、外科技術を教育、実践、および評価するための外科シミュレータを開示している。シミュレータは、使い捨て可能な臓器、血管、および組織のカセットを含むと記載されている。
【０００５】
米国特許第７，０８３，４１８号（特許文献６）は、外科的および／または医学的技術を教育または説明するためのモデルを開示している。このシステムは、組織または器官を表す基本構成要素と、基本構成要素および／または相互に結合可能および取り外し可能であるように構造化および配置された、いくつかの構成要素を有し、外科的および／または医療技術の異なる段階を表す、構成要素の互いに対する異なる位置を示す。
【０００６】
米国特許第７，０６３，９４２号（特許文献７）は、血行力学的シミュレーションのためのシステムを開示している。このシステムは、血管の特性を有する管、ある量の流体を含むリザーバ、血管とリザーバを接続するチューブ、およびシステム内で流体を循環させるための少なくとも１つのポンプを含むと記載されている。  
【０００７】
米国特許第６，８４３，１４５号（特許文献８）は、動的心室をシミュレートするための心臓ファントムを開示している。ファントムは、膜の壁の間の閉じた空間を定義する、同心円状に配置された、液密で柔軟な２つの膜を含むと記載されている。  
【０００８】
米国特許第６，６８５，４８１号（特許文献９）は、心臓手術および他の同様の手順のための訓練装置を開示している。この装置は、心臓モデルなどの器官モデル、対応する自然器官と同様の動きをモデルに与えるように適合されたアニメーションネットワーク、およびアニメーションネットワークの動作を制御するために使用される制御装置を含むものとして記載される。心臓モデルは、心筋をシミュレートする内側のキャストと心膜をシミュレートする外側のシェルの２つのセクションで構成されていると記載されている。
【０００９】
米国特許第５，０５２，９３４号（特許文献１０）は、人工弁および心臓超音波手順の評価のためのファントムとして機能する装置を開示し、血液模倣流体の制御された拍動流が、マルチチャンバ領域を通過し、そこには僧帽弁および大動脈弁および調節可能に配置可能な超音波変換器が取り付けられている。
【００１０】
そのような訓練装置は当技術分野で知られているが、本発明に従って機能する正常および病状の心臓血管系をシミュレートするための装置およびシステムは、そのような従来技術の装置よりも生理学的に正しい訓練ツールを提供し、１つの自動調整を提供する。そのような訓練装置は当技術分野で知られているが、本発明に従って機能する正常および病状の心臓血管系をシミュレートするための装置およびシステムは、そのような従来技術の装置よりも生理学的に正しい訓練ツールを提供し、１つの自動調整を提供する。
【先行技術文献】
【特許文献】
【００１１】
【特許文献１】米国特許第８，０１６，５９８号
【特許文献２】米国特許第７，９７６，３１３号
【特許文献３】米国特許第７，９７６，３１２号
【特許文献４】米国特許第７，７９８，８１５号
【特許文献５】米国特許第７，８６６，９８３号
【特許文献６】米国特許第７，０８３，４１８号
【特許文献７】米国特許第７，０６３，９４２号
【特許文献８】米国特許第６，８４３，１４５号
【特許文献９】米国特許第６，６８５，４８１号
【特許文献１０】米国特許第５，０５２，９３４号
【発明の概要】
【００１２】
本発明は、訓練および医療機器試験のための、解剖学的に正確な要素、すなわち心臓（心臓）および血管系（血管）を含む、正常および病状の心臓および血管機能をシミュレートするための装置およびシステムを記載する。システムと装置は、空気圧で加圧されたチャンバを使用して、心室と心房の収縮を生成する。駆動は、加圧空気を介して空気圧で駆動されるものとして仕様全体で記載されているが、駆動は、加圧液体の使用、または加圧空気と加圧液体の組み合わせなどの他のメカニズムを介して達成することもできる。このシステムは、合成または天然の僧帽弁と大動脈弁の相互作用と組み合わせて、拍動流のより正確な体積分率と圧力勾配を生成するポンプ作用を生成するように設計されており、人間の心臓のそれを複製する。本システムはさらに、１つまたは複数のセンサまたはメータを使用して、システムの１つまたは複数の特性を監視および／または変更する。たとえば、さまざまなセンサを使用して、必要に応じて収縮期および／または拡張期の圧力を適切に制御または提供する。システム全体の流量を決定および／または変更するための流量計も利用することができる。このように、１つまたは複数のフィードバックループを使用してそのような特性を調整し、それによって循環系のより正確な表現を可能にする。システムの全体的な機能を制御するために、１つまたは複数の制御ユニットまたは要素が提供される。システムの１つまたは複数の機能要素を自動的に変更する制御ユニットを提供することにより、手動調整を必要とせずに圧力および流量プロファイルを生成できる。
【００１３】
医療機器の訓練および試験に適した心臓血管系の訓練および評価シミュレータシステムおよび装置は、正常または疾患状態の心臓血管系の解剖学的および生理学的に正確な表現を提供するように適合されている。例示的な実施形態では、システムは、患者の心臓機能をシミュレートするための空気圧駆動心臓モジュール、心臓モジュールに流体接続され、患者の血管系をシミュレートするように適合された血管系システムモジュール、および心臓に動作可能に結合された制御要素を含む。モジュールと血管系システムモジュール。制御ユニットは、心拍数、駆出率、全身血管抵抗、コンプライアンスなど、システムの１つまたは複数の動作パラメータを制御または変更するように構成されている。システムパラメータを変更することにより、敗血症、昇圧剤による超動的療法、または心房細動や粗動などの心不整脈を含むがこれらに限定されない病的な血行力学的状態を再現することができる。システムはまた、他の身体構成要素、好ましくは脳血管系の複製を含み得る。  
【００１４】
したがって、システムおよび装置は、外科医の経験不足または複雑な手順の経験不足に起因する、血管手術を受けている患者への巻き添え被害を軽減するために使用できるメカニズムを提供する。心臓と血管系を複製する装置を提供することにより、外科医は、実際の患者に対してそのような手順を実行しなければならない前に、血管内手順を実行することができる。装置の選択、配置、および最適化は、実際の手術の前に決定できるため、ライブ手順中にそのようなタスクを実行する必要があることに伴うリスクが排除される。
【００１５】
したがって、本発明の主な目的は、正常および病状の心臓血管機能をシミュレートするための装置およびシステムを提供することである。  
【００１６】
本発明のさらなる目的は、訓練および医療機器試験のための解剖学的に正確な心臓シミュレータを含む、正常および病状の心臓血管機能をシミュレートするための装置およびシステムを提供することである。  
【００１７】
本発明のさらに別の目的は、心臓の体積分率を複製して正確な体積分率を生成するポンプ作用を生成するように設計された、正常および病状の心臓血管機能をシミュレートするための装置およびシステムを提供することである。  
【００１８】
本発明のさらなる目的は、心臓および／または血管要素の圧力勾配を複製する拍動流の圧力勾配を提供するように設計された、正常および病状の心臓血管機能をシミュレートするための装置およびシステムを提供することである。  
【００１９】
本発明のさらに別の目的は、空気圧レベル、流体圧、および心拍数を制御し、それによって多種多様な心臓状態をシミュレートする収縮を誘発する、正常および病状の心臓血管機能をシミュレートするための装置およびシステムを提供することである。  
【００２０】
本発明のさらに別の目的は、正常な心臓機能を有する多種多様な心臓状態をシミュレートする収縮を誘発するために、空気圧レベル、流体圧、および心拍数を制御する正常な心臓血管機能をシミュレートするための装置およびシステムを提供することである。
【００２１】
本発明のさらなる目的は、空気圧レベル、流体圧、および心拍数を制御して、多種多様な疾患または損傷した心臓状態をシミュレートする収縮を誘発する、病状の心臓血管機能をシミュレートするための装置およびシステムを提供することである。  
【００２２】
本発明のさらなる目的は、正常状態または病的状態における心臓血管系の解剖学的および生理学的に正確な表現を提供するように適合された、医療機器の訓練および試験に適した訓練および評価シミュレータシステムおよび装置を提供することである。  
【００２３】
本発明のさらに別の目的は、心拍数、駆出率、全身血管抵抗およびコンプライアンスを含む、システムの１つまたは複数の動作パラメータを制御または変更するように適合された制御モジュールを有する訓練および評価シミュレータシステムおよび装置を提供することである。  
【００２４】
本発明のさらに別の目的は、限定されないが、敗血症、昇圧剤による超動的療法、または誘発された心臓の急速なペーシングを含む、心房細動またはフラッターなどの心不整脈を含む病的血行力学的状態を再現することができる、訓練および評価シミュレータシステムおよび装置を提供することである。  
【００２５】
本発明のさらなる目的は、外科医が実際の患者に対してそのような手順を実行しなければならない前に、血管内手順を実行することを可能にする訓練および評価シミュレータシステムおよび装置を提供することである。
【００２６】
本発明のさらに別の目的は、外科医が実際の手術の前に装置の選択、配置、および最適化を決定することを可能にする、訓練および評価シミュレータシステムおよび装置を提供し、本番の手順中にそうしなければならないことに関連するリスクを排除することである。  
【００２７】
本発明のさらなる目的は、生理学的に代表的な生物学的プロファイルを達成するためにフィードバック制御メカニズムを利用する、正常および病状の心臓血管機能をシミュレートするための装置およびシステムを提供することである。  
【００２８】
本発明のさらなる目的は、生理学的に代表的な生物学的プロファイルを達成するために流体要素を自動的に調整するシステムを利用する、正常および病状の心臓血管機能をシミュレートするための装置およびシステムを提供することである。  
【００２９】
本発明のさらなる目的は、生理学的に代表的な生物学的プロファイルを達成するために、ポンプ機構を介して流体の流れを自動的に制御するシステムを利用する、正常および病状の心臓血管機能をシミュレートするための装置およびシステムを提供することである。  
【００３０】
本発明のさらなる目的は、生理学的に代表的な圧力および流量プロファイルを達成するために、フィードバック制御および流体要素の自動調整およびポンプ制御を利用する、正常および病状の心臓血管機能をシミュレートするための装置およびシステムを提供することである。
【図面の簡単な説明】
【００３１】
本発明の他の目的および利点は、例示および例として、本発明の特定の実施形態が示されている付随する図面と併せて、以下の記載から明らかになるであろう。本明細書に含まれる任意の図面は、本明細書の一部を構成し、本発明の例示的な実施形態を含み、その様々な目的および特徴を例示する：  
【００３２】
【図１Ａ】心臓血管シミュレーションシステムの実施形態の斜視図である。
【図１Ｂ】図１Ａに示されている心臓血管シミュレーションシステムの上面図である。
【図１Ｃ】心臓血管シミュレーションシステムの代替の実施形態の斜視図である。
【図１Ｄ】図１Ｃに示されている心臓血管シミュレーションシステムの上面図である。
【図２】本発明の例示的な例によるシミュレータシステムに関連する一般的な油圧回路図のブロック図である。
【図３】本発明の例示的な例によるシミュレータシステムに関連する一般的な空気圧回路図を含む、図２に示されるブロック図である。
【図４Ａ】本発明の例示的な例によるシミュレータシステムに関連する一般的な電子回路図を含む、図３に示されるブロック図である。
【図４Ｂ】心臓モジュールを表すためにポンプを使用する本発明の例示的な例を示すブロック図である。
【図５】心臓シミュレータモジュールおよび心室モジュールの部分斜視図である。
【図６】心臓モジュールの斜視図である。
【図７】心臓モジュールの代替の斜視図である。
【図８】心臓モジュールの代替の斜視図である。
【図９】心臓モジュールの断面図であり、左心室腔を示す図である。
【図１０】心臓モジュールの左心室の断面図である。
【図１１】心臓モジュールの断面図であり、左心房および心室の空洞を示す図である。
【図１２】心臓モジュールの断面図であり、左心房の空洞を示す図である。
【図１３】頭部モジュールの例示的な例の斜視図である。
【図１４】図１３に示される頭部モジュールの斜視図であり、脳血管系とともに示す図である。
【図１５−１７】図１５は、ガス充填アキュムレータを示す図である。図１６は、ガス充填ピストンアキュムレータを示す図である。図１７は、ばね式ピストンアキュムレータを示す図である。
【図１８】ハードウェア要素モジュールの斜視図である。
【図１９】ハードウェア要素モジュールの上面図である。
【図２０】シミュレータシステムに関連する空気圧回路図の例示的な実施形態のブロック図である。
【図２１】シミュレータシステムに関連する油圧回路図の例示的な実施形態のブロック図である。
【図２２】本発明の例示的な例による、シミュレータシステムに関連する電子回路図の例示的な実施形態のブロック図である。
【図２３Ａ】図１Ｃまたは図１Ｄに示される心臓血管シミュレーションシステムに関連するハードウェア要素モジュールの斜視図である。
【図２３Ｂ】図１Ｃまたは図１Ｄに示される心臓血管シミュレーションシステムに関連するハードウェア要素モジュールの斜視図であり、アセンブリブラケットが取り外されている。
【図２３Ｃ】図１Ｃまたは図１Ｄに示される心臓血管シミュレーションシステムに関連するハードウェア要素モジュールの上面図である。
【図２３Ｄ】ハードウェアモジュールから取り外されたアセンブリブラケットを示す図である。
【図２４】図１Ｃまたは図１Ｄに示される心臓血管シミュレーションシステムに関連する油圧回路図の例示的な実施形態のブロック図である。
【図２５】図１Ｃまたは図１Ｄに示される心臓血管シミュレーションシステムに関連する電子回路図の例示的な実施形態のブロック図である。
【図２６Ａ】心臓シミュレータモジュールのいくつかの構成要素および血管系シミュレータモジュールが取り外された状態で示される、支持構造の斜視図であり、格納位置で示される調整可能な周辺器官／システムシミュレータモジュールマウント１４３を示す。
【図２６Ｂ】心臓シミュレータモジュールのいくつかの構成要素および血管系シミュレータモジュールを取り外した状態で示す、支持構造の斜視図であり、拡張位置に示される調整可能な周辺器官／システムシミュレータモジュールマウント１４３を示す。
【図２７Ａ】ハンドヘルドタブレットコンピュータの例示的な例を示す図である。
【図２７Ｂ】図２７Ａに示されるタブレットのスクリーンショットであり、ユーザが１つまたは複数のシステムパラメータを調整することを可能にするグラフィックユーザインターフェース（ＧＵＩ）の例示的な例を提供する。
【図２７Ｃ】図２７Ａに示されるタブレットのスクリーンショットであり、エキスパートモードの例示的な例を提供する。
【発明を実施するための形態】
【００３３】
本発明は様々な形態の実施形態の影響を受けやすいが、限定的ではないが現在の好ましい１つの実施形態が図面に示され、そして以下に記載される。本開示は本発明の例示と見なされ、そして本発明を例示された特定の実施形態に限定することを意図するものではないことが理解される。  
【００３４】
図１Ａおよび１Ｂを参照して、一般に心臓血管シミュレーションシステム１０と呼ばれるシミュレーションシステムまたは装置が示されている。心臓血管シミュレーションシステム１０は、心臓血管システムとして示され、記載されている。ただし、シミュレータシステムは心臓血管系に限定されず、他のシステムを複製するように適合させることができる。心臓血管シミュレーションシステム１０は、ハードウェア要素モジュールおよび解剖学的要素モジュールを含む１つまたは複数のモジュールを含む。ハードウェア要素モジュールと解剖学的要素モジュールは、身体システム、すなわち心臓および／または血管系の改善された解剖学的および機能的に正確な複製であるシステムを提供するように相互作用する。そのような改善された解剖学的に正しいシステムを提供することは、生体システム上でそのような行動を実行しなければならない前に、様々な外科的処置および／または技術について練習および訓練するための独自のツールをユーザに提供する。そのようなシステムは、人間の解剖学的構造およびシステムを使用して記載されるが、本発明による心臓血管シミュレーションシステム１０は、犬または猫などの飼いならされた動物を含む他の哺乳動物、マウスやラットなどのげっ歯類、牛、馬、羊、豚／豚などの家畜、またはライオンやトラなどの野生動物などの他の生物システムを複製またはモデル化するように適合させることができる。
【００３５】
全体として１０００で参照されるハードウェア要素モジュールと、全体として２０００で参照される解剖学的モジュールの両方に、さらにサブモジュールが含まれている。サブモジュールは、システムを駆動したり、生きているシステムの正確な構造的および機能的複製を提供したりする個々の要素で構成される。より詳細には、ハードウェア要素モジュール１０００は、空気圧要素、油圧要素、および制御／電子要素を含む１つまたは複数のサブモジュールを含む。心臓血管シミュレーションシステム１０は、システムのいくつかの重要な構成要素または特性、すなわち、流量および弁操作を含む、心臓血管系および脳血管系の生理学的に代表的な操作の、正確かつ自動表現を提供するように構成された１つまたは複数のフィードバックループを含むように設計されている。制御ユニットは、血流または圧力の所定の特性を提供するためにシステムの自動操作を提供するために必要なハードウェアおよび監視装置を含む。制御ユニットは、システム内の圧力および流れの生理学的値を監視および提供するために、動脈および静脈の圧力を表す圧力センサ、および／または頭、胸部、および内臓の流れを表す流れセンサを含み得る。圧力センサと流量センサから得られた情報は、生理学的に代表的な特性を実現するためのフィードバック制御メカニズムの一部として使用される。システム内の流体の流れを制御するために、１つまたは複数の弁を使用することもできる。本明細書で心臓血管系として示される解剖学的モジュール２０００は、主に、心臓シミュレータモジュール２１００、血管系シミュレータモジュール２２００、および１つまたは複数の周辺器官／システムシミュレータモジュール２３００を含む３つのサブモジュールから構成される。システム１０は、心臓シミュレータモジュール２１００、血管系シミュレータモジュール２２００、および１つまたは複数の周辺器官／システムシミュレータモジュール２３００を構成する１つまたは複数の個々の部品または構成要素を交換部品または構成要素と交換できるように設計することができる。この構成では、各モジュールの１つまたは複数の部品または要素を分解、交換、および新しい部品または要素と再組み立てすることができる。
【００３６】
心臓血管シミュレーションシステム１０は、支持構造１４２Ａまたは１４２Ｂを含むことができ、図１Ａを参照、これは、心臓血管シミュレーションシステム１０のさまざまな要素をサポートするために使用できる。各要素は、たとえば、ネジ、ナット、ボルト、または接着剤などの化学的固定を使用して固定することができる。心臓血管シミュレーションシステム１０は、ハードウェア要素モジュールおよび解剖学的要素モジュールを含む１つまたは複数のモジュールを含む。ハードウェア要素モジュールと解剖学的要素モジュールは、身体システム、すなわち心臓および／または血管系の改善された解剖学的および機能的に正確な複製であるシステムを提供するように相互作用する。  
【００３７】
心臓シミュレータモジュール２１００には、４つの心房すべて、左心房と右心房、左心室と右心室を含む人間の心臓のレプリカと、僧帽弁と大動脈弁、肺弁と三尖弁を含む心臓弁が含まれている。心臓シミュレータモジュール２１００のいくつかの構成要素の機能は、空気圧によって駆動される。  
【００３８】
図１Ｃおよび１Ｄは、いくつかの追加の特徴または構成要素、ならびに図１Ａおよび１Ｂに記載されたものと同じ特徴または構成要素の多くを有する心臓血管シミュレーションシステム１０の一実施形態を示す。したがって、後で記載する空気圧、油圧、または電気の概略図を含む、本明細書で記載する任意の特徴は、特に断りのない限り、図１Ａ、図１Ｂ、図１Ｃ、または図１Ｄに示す心臓血管シミュレーションシステム１０に適用可能であり得る。特に図示されていない場合でも、任意の組み合わせで。心臓血管シミュレーションシステム１０は、心臓血管シミュレーションシステム１０の様々な構成要素を支持するために使用され得る支持構造１４２を含み得る。心臓血管シミュレーションシステムは、一般に１０００で参照されるハードウェア構成要素モジュールと、参照される解剖学的モジュールとを含む。本明細書で心臓血管系として示される解剖学的モジュール２０００は、主に、心臓シミュレータモジュール２１００、血管系シミュレータモジュール２２００、および１つまたは複数の周辺器官／システムシミュレータモジュール２３００を含む３つのサブモジュールから構成される。図１Ｃは、下行大動脈２２１６、上行大動脈２２１７、左／右腸骨動脈２２１８、２２２０、左／右腸骨静脈、２２２２、２２２４、腎動脈２２２６、２２２８、下大静脈２２３０、肺動脈幹２２３２、および内臓動脈（すなわち、腹腔、上腸間膜、下腸間膜）２２３４、２２３６を含む、血管系シミュレータモジュール２２００のいくつかの（すべてではない）要素を表すいくつかのチューブを示している。血管系シミュレータモジュール２２００はまた、腕血管系、２２３８、２２４０を含み得る。動脈コンプライアンスチャンバ2114への円錐形の（または、大動脈でより小さな直径を有し、その後、大動脈から離れるにつれて必要に応じて大きくなる任意の形状）のコンプライアンスタップ２２４２を、流体接続の水力学的不活性を低減するために、使用することができる。センサ１３６および１３７も示されている。  
【００３９】
図２−４Ｂは、心臓血管シミュレーションシステム１０の一般的な油圧回路図、空気圧回路図、および電子回路図を示すブロック図を提供する。図２−４Ｂに示すように、心臓血管シミュレーションシステム１０は、人間または他の動物の閉ループ循環システムを複製するように設計された閉ループシステムである。心臓血管シミュレーションシステム１０は、解剖学的モジュール２０００の第１の部分に流体的に接続された流体リザーバ（静脈チャンバとしても知られる）１２、および心臓シミュレータモジュール２１００を含む。流体リザーバまたは静脈チャンバ１２は、流体を受け入れて保持するためのサイズおよび形状のハウジングユニット１４を備える。ハウジングユニット１４内で、流体リザーバまたは静脈チャンバ１２は、心臓血管シミュレーションシステム１０内の流体が体内の生理学的流体の温度に対応する所定の温度に暖められることを可能にする加熱コイルなどの１つまたは複数の加熱機構１５を含み得る。流体は、血液をシミュレートする任意の液体でありうる。例示的な実施形態では、流体は、ヒトの血液の粘度を複製し、血管内装置、ワイヤ、およびカテーテルが血管系を横断するときの摩擦係数を模倣する特性を有する透明な血液類似体である。あるいは、流体は全血であるか、または単に水を利用することができる。したがって、任意の流体を使用および変更して、静脈または動脈を通る血流の粘度および／またはそれに近い粘度および／または流量を有することができる。流体は透明である場合もあれば、システム全体で流体の流れを視覚化できるように染料を含む場合もある。充填キャップ１６は、心臓血管シミュレーションシステム１０に水などの流体を追加するために使用される。流体リザーバまたは静脈チャンバ１２は、密封および加圧されて、静脈圧を複製するベースライン圧力を提供し、あるいは、流体は、他の手段を介してシステムに引き込まれうる。図１Ｃおよび図１Ｄに示される心臓血管シミュレーションシステム１０は、後述するように、遠心ポンプを含み得る。遠心ポンプは、流体リザーバまたは静脈チャンバ１２を加圧する必要の代わりに、心臓血管シミュレーションシステム１０を能動的に充填／プライミングするために使用され得る。使用される場合、遠心ポンプは、圧力センサ１３７によって制御され得る。遠心ポンプはそのセンサで読み取られた圧力に基づいてスロットルされ、静脈圧を１０〜２０ｍｍＨｇなどの所定の値に維持する。上部流体リザーバまたは静脈チャンバ１２は、ゲージ（図示せず）などのインジケータを含むことができ、またはウィンドウを利用して、流量レベルの視覚的確認を提供することができる。あるいは、センサを使用して制御ユニットに結合し、高、低、または適切な液面レベルの表示を提供することができる。
【００４０】
心臓血管シミュレーションシステム１０は、心臓、特に心臓の左側から体の他の部分への血流を複製するように設計されている。したがって、心臓シミュレータモジュール２１００は、流体をモジュールから心臓血管シミュレーションシステム１０の他の構成要素に押し出すように設計されたポンプまたは空気圧縮器を含み得、それにより、心室、好ましくは、左心房と左心室だけでなく、必要に応じて右心房と右心室を介した血液の流れを複製する。心臓の解剖学的構造のレプリカを含む心臓シミュレータモジュール２１００の実施形態を図６〜９に示す。図に示されるように、心臓シミュレータモジュール２１００は、左心房２１１２、左心室２１１４、右心房２１１６、および右心室２１１８を含む心臓の左側および右側の解剖学的構造を表す４つのチャンバを有する心臓モジュール２１１０を備える。左心房および右心房ならびに左心室および右心室を表す個々のチャンバを含む心臓モジュール２１１０は、標準のサイズおよび形状を使用して成形することができる。適切な時間に、すなわち左心房が収縮したときに、弛緩時に流体が左心房に逆流することなく、左心室に流体が流れることを可能にするために、左心房２１１２は、本明細書では合成弁２１２９として示される一方向弁を含む。図９を参照。弁２１２９は、僧帽弁を表し、例示的な例として、合成複製であり得る。あるいは、弁２１２９は、ブタまたはヒト僧帽弁などの実際の哺乳動物僧帽弁の移植片であり得る。適切な時間に、すなわち、弛緩時に流体が右心房に逆流することなく、右心房が収縮するときに、流体が右心室に流入することを可能にするために、右心房２１１６は、本明細書では合成弁２３１１として示される一方向弁を含む。図９を参照。弁２１３１は三尖弁を表しており、記載のための例として、合成複製である可能性がある。あるいは、弁は、ブタまたはヒトの三尖弁などの実際の哺乳動物の三尖弁の移植片であり得る。心臓モジュール２１１０はまた、大動脈弁または肺動脈弁（図示せず）を表す追加の弁を含み得る。
【００４１】
好ましくは、本発明は、心臓のコンピュータ断層撮影（ＣＴスキャン）画像、ならびにその血管系を使用して心房および心室が成形された心臓モジュール２１１０を使用する。左心房２１１２、左心室２１１４、右心房２１１６、右心室２１１８、またはそれらの組み合わせは、個々の患者のものに類似した正確なサイズおよび形状を表すように成形することができる。心臓モジュール２１１０を示す図は、血管系を含まない。しかしながら、心臓モジュール２１１０を形成する本明細書に記載の構成要素のいずれも、左冠状動脈、左回旋枝、左縁動脈、左前下行枝、および左心室の斜枝などの解剖学的に正しい血管系を含むように適合させることができる。血管系は、「正常な」血管系である場合もあれば、病状の血管系のものである場合もある。さらに、正常または病状の血管系は、個々の患者の正確な血管系を表すように適合させることができ（ＣＴスキャン、ＭＲＩ、および／または回転血管造影法を使用して）、または特定の患者に関連しない正常または病状を表すように設計されうる。さらに、心臓モジュール２１１０を形成する本明細書に記載の構成要素のいずれかのセクションはまた、収縮および拡張に対する心臓の異なる抵抗をシミュレートするために、厚いセクション（心室肥大をシミュレートする）および／または薄いセクション（心室発育不全をシミュレートする）を含み得る。
【００４２】
図５はまた、哺乳動物の血流に関連する様々な静脈または動脈を表す血管系シミュレータモジュール２２００を示している。血管系シミュレータモジュール２２００は、心臓シミュレータモジュール２１００に出入りする流体の流れを提供する合成管などの複数の部材からなる。心臓シミュレータモジュール２１００の心房および心室と同様に、血管系シミュレータモジュール２２００は、チューブは、特定の患者の血管系のサイズ、形状、および眼圧測定を複製するように作成できる。好ましくは、チューブは、所望の必要性に対応する曲げモジュールまたは剛性を有する透明な医療グレードのプラスチックでできている。図５を参照すると、流体は、左心室２４１４から出て、大動脈２２０２および大動脈弓２２０５を表すチューブに流れ込む。限定されないが、２２０４（鎖骨下動脈）、２２０６（総頸動脈）および２２０８（頸動脈）などの大動脈コネクタが心室動脈２３１０を表すチューブなどの血管系シミュレータモジュール２２００の他の要素に流体的に接続し、そして左総頸動脈と右総頸動脈を表すチューブを使用して、周辺器官／システムモジュール２３００に流体的に接続するために使用される（図１Ａ、１Ｂ、１Ｃ、１Ｄまたは図２を参照）。流体はさらに下行大動脈２２１６に流れ込み、右腸骨動脈２２１８および左腸骨動脈２２２０を表す管に接続する。心臓シミュレータモジュール２１００からの流体の流れは、システムのどの部分に流体が流れるかに応じて、追加の管を通って導かれる。
【００４３】
心臓シミュレータモジュール２１００、好ましくは左心房２１１２または左心室２１１４は、チューブ１７および１９を介して、コンプレッサーとして示されている空気圧モジュール１００に空気圧で接続する（図３を参照）。空気圧モジュール１００は、心臓血管シミュレーションシステム１０の１つまたは複数のモジュールに圧縮空気を提供するために必要な構成要素を含む。生成された圧縮空気は、圧縮機に空気圧で接続された心臓シミュレータモジュール２１００の１つまたは複数の構成要素が、後述するように、そこに含まれる液体などの物質を圧縮して強制的に排出することを可能にする。したがって、空気圧縮機は、心臓シミュレータモジュール２１００に心臓の動的機能の正確なシミュレーションを提供するように機能する。あるいは、圧縮空気は、１つまたは複数のポンプによって提供され得る。心臓血管シミュレーションシステム１０内の様々な場所に染料または代表的な薬剤を注入するためのメカニズムを提供するために、注入ポートが含まれ得る。  
【００４４】
心臓モジュール２１１０は、好ましくは、シリコーンなどの柔らかいプラスチック材料でできている。各チャンバ、左心房２１１２、左心室２１１４、右心房２１１６、または右心室２１１８は、弾性膜壁内に成形された空洞で作られ、したがって、空気加圧の機構を提供する。機能する心臓モジュールの一部として使用されない場合、右心房２１１６、右心室２１１８、またはその両方は、心臓モジュール２１１０の一部として含まれ得るが、弾性膜壁内に成形された空洞を有さない。図９および１０を参照すると、心臓モジュール２１１０の断面図は、左心室膜壁２１１９を内側左心室膜壁２１２２Ａおよび外側左心室膜壁２１２２Ｂに分離する左心室腔２１２０を備えた左心室２１１４を示している。図１０を参照。内側左心室膜壁２１２２Ａは、流体が左心室２１１４内に配置されたときに外向きに伸びて左心室腔２１２０を崩壊させるのを防ぐための所望の強度を有するが、加圧空気が左心室腔２１２０内に押し込まれると内向きに崩壊し、したがって、流体を左心室２１１４から押し出す。好ましくは、左心室腔２１２０は、左心室２１１４の全周に沿って延びる。図１１は、左心房膜壁２１２６内の左心房腔２１２４を備える左心房２１１２を示す心臓モジュール２１１０の断面図である。左心房腔２１２４は、左心房膜壁２１２６を、内側左心房膜壁２１２８Ａおよび外側左心房膜壁２１２８Ｂに分離する。好ましくは、左心房腔２１２４は、左心房２１１２の全周の周りに延在する。図１２を参照。内側左心房膜壁２１２８Ａは流体が左心房２１１２内に配置されたときに外向きに伸びて左心房腔２１２４を崩壊させるのを防ぐための所望の強度を有するが、加圧空気が左心房腔２１２４内に押し込まれると内向きに崩壊し、したがって、流体を左心房２１１２から押し出す。図示されないが、右心房および右心室は同じ空洞特徴を含み得る。心臓血管シミュレーションシステム１０のいくつかの構成要素の駆動は、加圧空気を介して空気圧で駆動されると記載されているが、駆動は、加圧液体の使用、または加圧空気と加圧液体の組み合わせなどの他のメカニズムを介して達成することもできる。
【００４５】
心臓モジュール２１１０は、空気圧で加圧して、左心房２１１２および左心室２１１４を駆動させることができる。加圧された空気は、左心室腔２１２０または左心房腔２１２４に入り、したがって、それぞれの内側膜壁２１２２Ａまたは２１２８Ａに力を及ぼす。加圧空気によって加えられる力により、それぞれの内側膜壁２１２２Ａまたは２１２８Ａが部分的に崩壊するか、または内側に移動し、したがって、左心室２１１４または左心房２１１２内に貯蔵された流体が押し出されるかまたは排出される。  
【００４６】
図１３および１４を参照すると、周辺器官／システムモジュール２３００は、頭部モジュール、または頭部２３０２として示されている。頭部２３０２は、ネジやナットなどの固定部材２３０８を介してボード２３０５および／または上部２３０６に接続された底部２３０４を含む。そのような配置は、上部２３０６を取り外して交換することを可能にする。底部２３０４は、頭部２３０２を血管系シミュレータモジュール２２００の１つまたは複数の構成要素に流体接続するように適合された１つまたは複数の流体コネクタ２３１０および２３１２を含む。このような流体接続は、ユーザが外科手術または手順の周辺器官またはシステムへの影響を評価することを可能にする。  
【００４７】
図１４は、脳血管系を表す複数の管２３１２および２３１４を備えた頭部モジュール２３０２の例示的な例を示している。脳血管系は、くも膜下腔および周囲の脳の血管のコンプライアンスを模倣するために、ゲル状材料２３１６内に配置される。頸動脈分岐部から頭蓋内循環までの血管系、およびあらゆる病状が再現されうる。頭部モジュール２３０２はまた、心臓血管シミュレータシステム１０の他の部分に接続可能な追加の管２３１８を含み得る。
【００４８】
心臓血管シミュレータシステム１０は、１つまたは複数のコンプライアンスチャンバモジュールを使用することができる。コンプライアンスチャンバモジュールは、システム流体貯蔵装置として機能し、ユーザが必要とする血行動態に応じて、全身コンプライアンスを動的に制御するように機能的に適合されている。したがって、コンプライアンスチャンバは、心臓血管シミュレータシステム１０がヒト心臓血管系全体に含まれるすべての血管系血管を複製しないことを前提として、解剖学的に正しい範囲の心臓システムコンプライアンスおよび補償を提供する。たとえば、下肢、特に脚への血管系は、通常、血管系シミュレータモジュール２２００の一部として含まれない。不完全なモデル化された血管系にポンプで送り込みながら、解剖学的に正確な心臓生理学で正確な心臓ダイナミクスを再現するために、コンプライアンスチャンバが使用される。コンプライアンスチャンバは、システムの成形されていない部分の血管容積と眼圧測定をシミュレートする。血管トノメトリは動脈の緊張をシミュレートし、コンプライアンスチャンバに空気を追加または除去することで変更できる。空気の量に応じて、高血圧または低血圧の状態をシミュレートできる。  
【００４９】
図２−４Ｂを参照すると、コンプライアンスモジュールはアキュムレータとして示され、動脈コンプライアンスチャンバ１８と呼ばれる。図１５−１７は、アキュムレータのいくつかの実施形態を示している。図１５は、ガス充填アキュムレータ１８Ａを示している。アキュムレータ１８Ａは、内部空洞２２を囲むハウジングユニット２０を備える。内部空洞２２内には、ガス２６（ガス入口２５を通して挿入される）および内部空洞２２内に貯蔵された任意の液体を分離するためのゴムブラダー２４がある。図１６は、１８Ｂで参照される、ピストンを使用するガス充填アキュムレータを示している。アキュムレータ１８Ｂはまた、内部空洞３４を有するハウジングユニット３２を有する。ピストン３６は、内部空洞３４内のガス３８と液体を分離する。図１７は、ばね式ピストンアキュムレータ１８Ｃを示している。ばね式ピストンアキュムレータ１８Ｃはまた、内部空洞４２を有するハウジングユニット４０を含む。ばね４６を備えたピストン４４は、ばね４６がピストンを貯蔵液体に押し付けることを除いて、ガス充填ピストンと同様に動作する。図示されていないが、当業者に知られているダイアフラムを使用するアキュムレータなどの代替のアキュムレータタイプも使用することができる。流体リザーバ１２は、アキュムレータとしても構成することができる。  
【００５０】
図２に戻ると、心臓シミュレータモジュール２１００からの流体は、直接、または動脈コンプライアンスチャンバ１８に迂回して戻された場合、血管系シミュレータモジュール２２００および／または１つ以上の周辺器官／システムシミュレータモジュール２３００を含む解剖学的モジュール２０００に向けられる。流量の調整は、制御機構によって達成することができる。例えば、血管系シミュレータモジュール２２００に入る流体の流量は、体抵抗弁とも呼ばれる第１の抵抗弁４８によって制御することができる。好ましくは、抵抗弁４８は、線形ステッピングモーターおよびグローブ弁を含む電気的に調整可能な流体抵抗弁である。抵抗弁４８は、身体への所望の流量を達成するために自動的に調整することができる。１つまたは複数の周辺器官／システムシミュレータモジュール、すなわち頭部に入る流体の流量は、頭部抵抗弁とも呼ばれる第２の抵抗弁５０によって制御することができる。第２の抵抗弁５０は、好ましくは、線形ステッピングモーターおよびグローブ弁を含む電気的に調整可能な流体抵抗弁である。抵抗弁５０は、頭部への所望の流量を達成するために自動的に調整することができる。
【００５１】
各経路、すなわち血管系経路および1つまたは複数の周辺器官/システム経路には、1つまたは複数の監視または検出メカニズムが含まれている。図２に示されるように、血管系経路は、体流量計とも呼ばれる第１の流量計５２を含む。体流量計５２は、例えば、体積流量を電気信号に変換するように構成されたパドルホイール流量計であり得る。信号は、システムコントローラ（後述）によって使用され、所望の流量を達成するために、流量抵抗弁４８の設定の変更がいつ必要になるかを決定する。１つまたは複数の周辺器官／システムは、頭部流量計とも呼ばれる第２の流量計５４を含み得る。頭部流量計５４はまた、体積流量を電気信号に変換するように構成された頭部ホイール流量計であり得る。信号は、システムコントローラによって使用され、所望の流量を達成するために、第２の流れ抵抗弁５０の設定への変更がいつ必要とされるかを決定する。次に、流体は流体リザーバ１２に戻されて戻される。逆止弁５６は、逆流、すなわち流体リザーバ１２からの逆流を防止しながら、逆流が流体リザーバ１２に入るのを確実にし、解剖学的静脈の作用を複製する。
【００５２】
流体は、シュレーダータイプのクイックディスコネクト弁５８などのドレーンコネクタを介して心臓血管シミュレータシステム１０から排出され得る。弁５８は、排出サイクル動作中に取り付けられたドレナージホースまたはチューブ（図示せず）に接続され得る。流体は、好ましくは、流体保持容器または水差し６０として示される容器に排出される。
【００５３】
図３を参照すると、心臓血管シミュレータシステム１０が空気圧要素とともに示されている。圧縮機１００として記載される空気発生器１００は、心臓血管シミュレータシステム１０内のいくつかの機能を担当する。空気圧縮機１００は、チューブ１１０または１１２を介して心臓シミュレータモジュール２１００に加圧空気流を提供する。具体的には、加圧空気は左心房２１１２、具体的には左心房腔２１２４、および左心室２１１４、具体的には左心室腔２１２０に供給される。心臓シミュレータモジュール２１００、すなわち左心房２１１２、具体的には左心房腔２１２４、および左心室２１１４、具体的には左心室腔２１２０への空気流の制御は、各構成要素が鼓動する心臓をシミュレートすることを可能にするために、１つまたは複数の制御機構によって提供される。左心房２１１２の制御は、図３に示されている、心房作動ソレノイド弁としても知られている作動ソレノイド弁１１４を使用して達成することができる。心房作動ソレノイド弁１１４が通電されると、圧縮機１００からの加圧空気が左心房腔２１２４に流入する。そのような作用は、左心房２１１２を圧縮する。心房作動電磁弁１１４が非通電になると、圧力が左心房腔２１２４から解放され、左心房２１１２が弛緩することを可能にする。心室作動電磁弁１１６と呼ばれる第２の作動ソレノイドは、左心室２１１４への空気を制御する。心室作動ソレノイド弁１１６が通電されると、圧縮機１００からの加圧空気は、左心室２１１４を取り囲む左心室腔２１２０に入れられる。この動作により、左心室２１１４は、その中の流体を圧縮して押し出すことができる。心室作動電磁弁１１６が消勢されると、左心室空洞２１２０から圧力が解放され、左心室２１１４が弛緩することを可能にする。このような動作は、心臓の左側の生理学的収縮、つまり心拍をシミュレートする。加圧空気はまた、左心室２１１４などの心臓モジュールの１つまたは複数の部分をその軸の周りで部分的に動かして、心拍をより正確にシミュレートすることができる。このような動作は、右心房２１１６および右心室２１１８（図示せず）でも達成できる。左心房２１１２および左心室２１１４は、仕切りまたは壁２１２１を介して右心房２１１６および右心室２１１８から分離され得（図９を参照）、したがって、それらの間の流体の流れを防止する。左チャンバと右チャンバとの間の仕切りまたは壁２１２１は、心臓中隔２１２１と呼ばれることがある。１つまたは複数のチャンバは、流体の流入または流出を可能にするために、チューブ２１２３Ａ、２１２３Ｂ、または２１２３Ｃなどの流体出入チューブおよび／または開口部を有し得る。
【００５４】
空気圧縮機１００は、動脈コンプライアンスチャンバ１８内の水位を低下させるために、チューブ１１８を介して動脈コンプライアンスチャンバ１８に流体的に接続され得る。心臓血管シミュレータシステム１０内からの流体の排出を助けるために、空気圧縮機１００は、チューブ１２０を介して流体リザーバ１２に流体的に接続されている。流体は、排出切断弁５８を介して排出され、加圧空気を静脈チャンバ１２および動脈コンプライアンスチャンバ１８に送り込むことができる。空気圧縮機１００からの圧縮空気の送達のための種々の制御機構が好ましくは利用される。静脈チャンバ通気弁１２２と呼ばれる弁は、静脈チャンバ１２への空気の量、したがって圧力を制御するために使用される。例えば、静脈チャンバ１２から空気圧を解放するための静脈チャンバ通気弁１２２の操作は、平均静脈圧が高すぎると判断された場合に使用することができる。静脈チャンバ加圧弁１２４と呼ばれる第２の弁を使用して、例えば、ベースライン静脈圧を増加させるために、加圧空気を静脈チャンバ１２に入れることができる。静脈チャンバ加圧弁１２４の操作はまた、心臓血管シミュレータシステム１０を通して加圧空気を強制するために排出サイクル中に使用され得る。心臓血管シミュレータシステム１０を通して強制される加圧空気は、排出切断弁５８を介して流体を追い出す。  
【００５５】
動脈チャンバ通気弁１２６と呼ばれる弁は、動脈コンプライアンスチャンバ１８の油圧に影響を与えるように設計されている。動脈チャンバ通気弁１２６の操作は、動脈コンプライアンスチャンバ１８から空気圧を解放する。これはより多くの水がチャンバに入り、それによって空気量が減少する効果を有する。これはまた、動脈コンプライアンスチャンバ１８の油圧コンプライアンスを低下させる効果を有する。第２の弁である動脈チャンバ加圧弁１２８は、動脈コンプライアンスチャンバ１８への空気の流れを制御するために使用され得る。動脈チャンバ加圧弁１２８の操作は加圧空気を動脈コンプライアンスチャンバ１８に入れる。加圧空気の流入は、任意の流体を動脈コンプライアンスチャンバ１８から追い出す。流体が追い出されると、空気量は、動脈コンプライアンスチャンバ１８内で増加し、動脈コンプライアンスチャンバ１８のコンプライアンスを増加させる。動脈チャンバ加圧弁１２８はさらに、排出サイクルにおいて使用されて、加圧空気を心臓血管シミュレータシステム１０に強制的に通すことができる。加圧空気が心臓血管シミュレータシステム１０全体を移動するとき、心臓血管システム１０内の流体は、排出切断弁５８を通って排出される。
【００５６】
心臓血管シミュレータシステム１０は、さまざまなパラメータの制御を自動的に実行できるように設計されている。そのような制御は、必要に応じて血流および／または他の身体的特徴を表すために、心臓血管系がより効率的かつ正確に機能することを可能にする。図４Ａを参照すると、制御ユニット１３０は、一般にコネクタ部材１３２と呼ばれるコネクタ部材１３２Ａ〜１３２Ｍを介して心臓システムの様々な構成要素に電子的に接続される。コネクタ部材１３２は、例えば、ブルートゥース（登録商標）技術を使用する無線接続であり、またはＵＳＢ（ユニバーサルシリアルバス）接続を使用するコンピュータケーブルなど、有線接続されている場合がある。制御ユニット１３０は、好ましくは、処理能力、記憶能力、および様々な構成要素の機能を駆動または制御するために必要なソフトウェアを有するコンピュータであり、例えば、必要な集積回路、中央処理装置、ＲＡＭ、ＲＯＭ、および／またはハードドライブを備える、プリント回路基板などの論理基板を含み得る。制御ユニット１３０は、単に、必要な集積回路を備えたプリント回路基板であり得る。制御ユニット１３０は、体流量計５２および頭部流量計５４によって測定される様々なシステムパラメータを処理するように設計されなければならない。さらに、心臓血管シミュレータシステム１０は、センサ１３４、１３６、および１３７を含み得る。静脈圧センサは、流体チャンバ１２のゲージ圧力測定値を電気信号に変換するように構成された圧力センサである。信号は、システム制御ユニット１３０に送信することができ、そこで、流体チャンバ１２の加圧に対する調整の決定を行うことができる。あるいは、静脈チャンバまたはリザーバ１２内のセンサ１３４は、単に受動センサとして機能して監視されるだけであるか、またはチャンバを加圧する代わりに静脈チャンバを通気するだけのために使用され得る。動脈圧センサとも呼ばれるセンサ１３６は、動脈コンプライアンスチャンバ１８のゲージ圧測定値を電気信号に変換するように構成された圧力センサである。信号は、システム制御ユニット１３０に送信することができ、そこで心臓シミュレータモジュール２１００のポンピング動作を調整して、様々なシステム圧力を達成する、すなわち、所定の収縮期および拡張期血圧を表すことができる。センサ１３６は、コンプライアンスチャンバ内の圧力ではなく、流体圧力を直接測定するために使用することができる。センサ１３６は、鎖骨下動脈を表す領域の圧力を測定するために使用することができるが、センサ１３６は、上行大動脈または左鎖骨下動脈を表すチューブ内など、近くのどこにでも配置することができる。図１Ｃまたは１Ｄを参照。第３のセンサであるセンサ１３７は、アクティブセンサとして使用することができる。センサ１３７は、心臓または関心の他の領域での圧力の監視を提供するために、左心房２１１２に配置され得る。このセンサ１３７は、利用される場合、遠心ポンプを制御するために使用され得る。制御ユニット１３０はさらに、例えば、１）体抵抗弁４８の設定、２）頭部抵抗弁５０の設定、３）圧縮機１００の速度プロファイル、および４）心房作動電磁弁１１４および心室作動電磁弁１１６のタイミングおよび作動、の制御を通じて、他のシステム動作に影響を与えるコマンド値を使用するように構成され得る。さらに、制御ユニット１３０は、動脈チャンバ通気弁１２６および動脈チャンバ加圧弁１２８と併せて圧縮機１００の使用を制御し、動脈コンプライアンスチャンバ１８内の流体のレベルを変更し、それによってコンプライアンスを変更するようにプログラムされうる。制御ユニット１３０は、ユーザとのインターフェースを提供する液晶画面などの情報ディスプレイを含むことができ、それにより１つまたは複数のパラメータの操作を可能にする。
【００５７】
タブレットコンピュータ１３８として示される第２のコンピュータ装置（ハンドヘルドタブレット１３８の図については図２７Ａを参照）は、制御ユニット１３０と組み合わせて使用されうる。タブレットコンピュータ１３８は、以下のような必要なハードウェアを含み得る。プロセッサとメモリ、およびシステムの１つ以上の操作を監視し、設定を調整するためのユーザインターフェイスを提供するために必要なソフトウェア。タブレットコンピュータ１３８は、無線または有線接続１４０（図４Ａ）によって制御ユニット１３０に電子的に接続され得る。好ましくは、接続１４０は、例えば、ブルートゥース（登録商標）技術を使用して、無線である。しかしながら、接続１４０は、ＵＳＢ接続を使用するケーブルなどの有線接続を介することができる。図２７Ｂは、タブレット１３８のスクリーンショット１３５を示しており、グラフィックユーザインターフェース（ＧＵＩ）の例示的な例を提供している。ＧＵＩは、様々なグラフィカルアイコンおよび視覚的インジケータを提供し、それによりユーザは１つまたは複数の以下のパラメータを調整し、対応する調整結果を観察することができる：頭部１３９Ａ、ボディ１３９Ｂ、レッグ１３９Ｃ、心拍数調整１３９Ｄ、システムの収縮期血圧１３９Ｅまたは拡張期血圧１３９Ｆ、心拍出量弁１３９Ｇ、心拍数１３９Ｈ、血圧（ＢＰ）１３９Ｉ、温度１３９Ｊ、または心電図（ＥＫＧ）プリントアウト１３９Ｋの視覚的インジケータ。
【００５８】
図２７Ｃは、エキスパートモードの構成を示している。エキスパートモードは、ユーザが追加のパラメータを調整し、対応する調整結果を表示できるようにする追加の所定のアイコンと視覚的インジケータをユーザに提供する。これには、頭部弁１３９Ｌ、体部弁１３９Ｍ、脚部弁１３９Ｎ、収縮１３９Ｏ、強度１３９Ｐ、ヒーターの制御、すなわちオン／オフ１３９Ｑ、フィードバック無効１３９Ｒ、およびエキスパートモードの出口１３９Ｓを含む。フィードバック無効１３９Ｒを使用すると、ユーザはアクティブフィードバックループを無効にできる。これは、パラメータが目的の設定値を満たしている場合に必要になることがある。エキスパートモード１３９Ｓモードでは、ユーザは特定の血行力学的機能を制御できる。したがって、エキスパートモードでは、図に示すように、１）頭部、体部、脚部抵抗の０〜１００％の間の制御、２）下大静脈の圧力制御、３）心臓ポンプのポンプ速度または収縮強度、および４）フィードバック制御の無効化または有効化、を制御する機能が追加される。頭部、体部、脚部の抵抗制御の０〜１００％の抵抗制御には、フィードバックを無効にする必要がある場合がある。フィードバックが無効になっている場合、エキスパートモードでは、動脈コンプライアンスチャンバの加圧を増減することもできる（サイクルの持続時間の割合を増減する）。減少へは積極的な停止のみがある。コンプライアンスが過度に低下した場合、すなわち、コンプライアンスチャンバ１８内の流体が増加して流体レベルスイッチがトリガーされた場合、コンプライアンスのさらなる低下（コンプライアンスチャンバの充填）を停止する。
【００５９】
図４Ｂは、心臓シミュレータモジュール２１００が電気的に駆動されるポンプ１４１を使用する心臓血管シミュレータシステム１０を示している。ポンプ１４１は、前述の解剖学的心臓モデルと同様の拍動流特性を提供する。そのような実施形態は、潜在的に低コスト、より小さなサイズ、より高い信頼性、またはより制御可能な流れ特性を備えた、同様の生理学的圧力および流れ特性を提供することができる。  
【００６０】
流体リザーバ１２内に貯蔵された流体は、圧縮空気１００を使用してシステムを通過し、加圧空気を流体リザーバ１２に押し込む。加圧空気の作用により、心臓シミュレータモジュール２１００は、収縮および拡張、血流を表す流体が血管系シミュレータモジュール２２００内を移動するようにさせることにより、ヒトまたは動物の心筋のように機能する。制御ユニット１３０は、加圧空気のパルスを心臓シミュレータモジュール２１００に供給するように設計されている。流体圧力および流体ダイナミクス／流れは、心臓モジュール自体ポンピング動作によって生成される。流体は、流体リザーバ１２から押し出され、解剖学的モジュール２０００に入る。これは、肺から戻る酸素を含む血液を表し、本明細書に記載されているシステムでは使用されず、下大静脈を通って（チューブおよび構造を表す）右心房、右心室、肺動脈、そして右肺静脈と左肺静脈に流れ込む。
【００６１】
左心房２１１２は流体で満たされ、回路の収縮期側で測定された流体の圧力は、制御ユニット１３０によって制御され、人間の心臓の拡張期血圧の最小正常範囲（５０〜８０ｍｍ  ＨＧ）になる。システムによって得られる１２０／８０（収縮期／拡張期）の実際の血圧は、流体流量（心臓シミュレータモジュールに関連する制御ユニット１３０の操作によってシミュレートされる）、心臓シミュレートされた心拍数、動脈圧迫、心室圧迫（または駆出率、心房チャンバまたは心室チャンバから排出される流体の量としてシミュレート）、毛細血管抵抗（抵抗弁の操作によるシミュレートされた効果）および血管眼圧測定または張力（コンプライアンスチャンバ１８の操作によるシミュレートされた効果）の組合せ関数である。
【００６２】
心臓血管シミュレータシステム１０は、収縮期および拡張期の数値に様々な程度で影響を与えるパラメータの様々な組み合わせを使用して、収縮期および拡張期の値を独立して調整するように設計されている。拡張期血圧の値を正常範囲より上または下に操作して、制御モジュールを使用してさまざまな病状をシミュレートできる。前述の構成要素のいずれかに加えて、制御ユニット１３０は、制御プリント回路基板（ＰＣＢ）および電圧感知の制御のための第２のＰＣＢなどの１つまたは複数の回路基板を含み得る。電池を含むことができる電源は、心臓シミュレーションシステム１０全体に電力を供給する。制御モジュール１３０によって開始され、左心房２１１２が収縮する。左心房の収縮は、圧縮空気がいつ、どのくらい左心房に押し込まれるかを制御する圧縮機１００によって制御される。生成された加圧空気は、管を通って流れ、左心房腔２１２４に入る。空気は、左心房チャンバ２１１２内の容積の減少を引き起こす。容積の減少は、流体が僧帽弁２１２９を通って左心室２１１４に排出される結果となる。  
【００６３】
生成された加圧空気は、チューブを通って左心室腔２１２０に移動する。加圧流体は、左心室チャンバ２１１４内の容積の減少を引き起こし、その結果、合成大動脈弁２１５０を通って大動脈弓２２０３に流体が排出される。使用されるフィードバックシステムのうち、心臓血管シミュレーションシステム１０は、様々な生理学的パラメータを調節するように構成される。流体の圧力は、例えば、正常な生理学的代表的な収縮期／拡張期の圧力の範囲内に設定することができる。例えば、心臓血管シミュレータシステム１０は、以下の設定点を含み得る：１）収縮期圧を表すデフォルト１２０ｍｍＨｇ、２）拡張期圧を表すデフォルト８０ｍｍＨｇ、３）静脈プール圧を表すデフォルト１０ｍｍＨｇ、４）デフォルト１２ｍＬ／秒の血流、平均頭蓋血流量（総頭流量）を表す、５）血流、デフォルトは８０ｍＬ／秒、平均胸部大動脈流量を表す、６）体液温度、デフォルトは華氏９８．６度。これらの値または設定値は、デフォルト以外の値を表すように変更することもできる。生理学的パラメータの設定値は、ユーザが調整できる。さらに、システムはフィードバック制御を使用して、設定値の変化を自動的に補正する。
【００６４】
条件は、流体がシステム全体を移動するときに、対応する圧力、体積流量、駆出率、またはそれらの組み合わせを変更するために、制御ユニット１３０によって操作することができる。左心室から排出された液体は圧力がかかっており、椎骨動脈、左総頸動脈、右総頸動脈などの血管の解剖学的構造のさまざまな部分を表す、またはシミュレートするチューブを通って流れる。流体はまた、下行大動脈に流れ落ち、右腸骨動脈２２１８および左腸骨動脈２２２０に流れ込む。したがって、心臓血管シミュレータシステム１０は、コンプレッサー１００によって生成され、そして心房および心室を圧縮するために使用される、加圧空気の量を調整することによって収縮期および拡張期の圧力の平均を調節するように構成される。（一定の流れとは対照的に）サイクル内の時間変化する空気流量が生成されることが好ましい。代表的な収縮期圧と拡張期圧との間の圧力差の調節は、動脈コンプライアンスチャンバ１８の空気の量（したがって油圧コンプライアンス）を調整することによって達成される。抵抗弁を調整することは、代表的な頭胸および胸部の流れの調節を提供する。流量計は、好ましくは、代表的な動脈部分ではなく、システムの代表的な静脈部分に配置される。したがって、流れはその時点で脈動よりも連続的であり、駆出率やピーク流量ではなく、平均流量の調整を使用できる。  
【００６５】
流体の加熱に関して、ヒーター表面温度およびレプリケーター流体温度は、ヒーター表面温度が所定の限界を超えないことを保証しながら、流体を所望の温度に加熱するために制御ユニット１３０を介して決定および制御することができる。  
【００６６】
最終的に、すべての流体は、流量が調整される流体リザーバ１２に戻される。血管張力は、コンプライアンス弁および抵抗弁の使用などのいくつかのメカニズムを通じて、および様々なデュロメータ値を有する動脈を表す成形された血管系シミュレータモジュール２２００を通じてシミュレートおよび調整することができる。図示されていないが、流体の流れは、周辺器官／システムモジュール、すなわち、頭部２３０２およびその代表的な血管系チューブに向けられ得る。心臓シミュレーションシステム１０の一部として使用される場合、頭部２３０２は、頭部支持構造１５０を介して支持構造フレーム１４２Ａおよび１４２Ｂに固定され得る。頭部２３０２は、支持構造フレーム１４２Ａおよび１４２Ｂへ／から迅速かつ容易に接続／切断／接続し、および角度移動が可能であるためのクイック接続コネクタを含み得る。次に、流体は、肺の解剖学的構造を表すチューブに戻され、最終的には心臓シミュレータモジュール２１００に戻されて、新しいサイクルを開始する。
【００６７】
詳細には記載されていないが、右心房２１１６および右心室２１１８は、左心房２１１２および左心室２１１４について記載されたのと同じ方法で機能し、同じ特徴を有するように適合され得る。  
【００６８】
体抵抗弁４８、頭部抵抗弁５０、体流量計５２および頭部流量計５４は、ハウジング構造内に収容することができる。静脈チャンバ通気弁１２２、静脈チャンバ加圧弁１２４、動脈チャンバ通気弁１２６、および／または動脈チャンバ加圧弁１２８などのコンプライアンス調整弁は、ハウジング構造内に格納され得る。  
【００６９】
前述のように、異常な心臓の状態は、制御ユニットから送信されるコマンドとシステム内のさまざまな構造の調整を通じて心房／心室アセンブリによって生成されるエアバーストの力、持続時間、および頻度を変化させて、そのような変化を引き起こすことによってシミュレートできる。
【００７０】
心臓血管シミュレータシステム１０をＸ線で画像化できるようにするために、電気機械がハードウェア要素モジュール１０１０に配置され、心臓シミュレータモジュール２１００、血管系シミュレータモジュール２２００、および１つ以上の周辺器官／システムシミュレータモジュール２３００から分離されている。図１Ａおよび１Ｃを参照されたい。図１８および１９は、図１Ａおよび１Ｂに示される心臓血管シミュレータシステム１０に関連するハードウェア要素モジュール１０１０の例示的な例を提供する。ハードウェア要素モジュール１０１０は、底壁１０１２、および側壁１０１４および１０１６を備えることができる。側壁１０１８および１０２０、ならびに上壁１０２２（図１Ａを参照）が取り外されている。内部領域部分は、ダイアフラムポンプ１０２４、抵抗弁１０２６、１０２８、および１０３０、ソレノイド１０３２、１０３４、流量計１０３６、１０３８、および１０４０、フィルタ１０４２、流体リザーバ１０４４を含む１つまたは複数のハードウェア要素、および制御ユニット回路基板および電源を格納する電源および回路基板格納ユニット１０４６を格納および固定する。ハードウェア要素モジュール１０１０の要素には、一般的な記載のために参照番号「１０００」が与えられているが、参照される実際の要素は、前述の要素に対応し得るが、異なる番号が与えられている。例えば、抵抗弁１０２６〜１０３０、ソレノイド１０３２〜１０３４、または流量計１０３６〜１０４０は、上記の抵抗弁、ソレノイド、または流量計のいずれかに対応し得る。
【００７１】
図２０〜２２を参照して、空気圧（図２０）、油圧（図２１）、および電子回路（図２２）の概略図を例として示す。図で記載されているシステムは、３つの解剖学的流路（頭部、腸／腕部、および脚部）を使用する血管系モジュールを提供する。さらに、心臓モジュールに流れを戻す解剖学的流路（下大静脈）もある。図２０に示されるように、加圧空気は、ツイン頭部ポンプまたはダイアフラムポンプなどのツインポンプ３００を介して心臓血管シミュレータシステム１０内に提供され、駆動され得る。ソレノイド３０２の使用によって制御され得るポンプ３００は、加圧空気を提供して、左心房２１１２、左心室２１１４、コンプライアンスチャンバ１８、または静脈リザーバ（流体リザーバ）１２に機能的に作用する。図２１は心臓血管シミュレータシステム１０内の血流をシミュレートする液体流体１０を示す。静脈リザーバ（流体リザーバ）１２からの流体は、右心室２１１８、右心房２１１６、左心房２１１２、および左心室２１１４、肺動脈３０４Ａ、下大静脈３０４Ｂ、および腸骨３０４Ｃを介して、大動脈３０６、頭部３０８、腕３１０、および腹部領域３１２に至る、身体に関連するレプリカ構成要素内の流体流れを提供する。流体の流れは、動脈コンプライアンスチャンバ１８からコンプライアンス接続２２４２を介して大動脈３０６にも方向付けられ得る。流体の流れは、ステップモータ３１６または抵抗弁３１８の機能を制御する流量計３１４を介して制御され得る。図２２に示されるように、コンピュータまたは単に集積回路基板であり得る制御ボード３２２は、ポンプ３００、動脈コンプライアンスチャンバ液面スイッチ、高３２４Ａおよび低３２４Ｂ、およびヒーター３２６、液面スイッチ、高３２８Ａおよび低３２８Ｂ、およびサーミスタ３３０などの静脈リザーバ１２の様々な機能を制御する。ユニットは、バッテリーまたは壁へのプラグ３３４などの電源３３２によって電力供給され得る。過熱を防ぐために、１つまたは複数のファン３３６を利用することができる。
【００７２】
図２３Ａ〜２３Ｄは、図１Ｃおよび１Ｄに示される心臓血管シミュレータシステム１０に関連するハードウェア要素モジュール１０１０の例示的な例を提供する。ハードウェア要素モジュール１０１０は、底壁１０１２、側壁１０１４、およびハードウェア要素モジュールカバー１０４８を備えうる（図２３Ａ〜２３Ｃで削除された図１Ｃを参照）。内部領域は、１つまたは複数の抵抗器１０５２、１つまたは複数の流量計１０５４、および１つまたは複数のフィルタ１０５６を保持または格納する要素アセンブリブラケット１０５０を含む、１つまたは複数のハードウェア要素を格納および固定する。図２３Ｄを参照。内部領域はまた、オーバーフロータンク／チャンバ１０５８、遠心ポンプ１０６０、静脈リザーバ（流体リザーバ）１２、静脈リザーバソレノイド１０６２、制御ユニット回路基板および電源を格納する回路基板格納ユニット１０４６、動脈コンプライアンスチャンバソレノイド１０６４、空気圧／心臓ソレノイド１０６６、逆止弁１０６８、ポンプ１０７０、流体を輸送または移動するためのさまざまなチューブ１０７２、およびハードウェア要素モジュール１０１０の外側に延びるチューブに接続するためのチューブスレッド１０７４を含む。一実施形態では、高または低流体レベルセンサを有する動脈コンプライアンスチャンバの代わりに、動脈コンプライアンスチャンバは、チューブを介してオーバーフローチャンバ１０５８に接続され得る。オーバーフローチャンバ１０５８は、流体レベルセンサ３２４Ｃを含み得る。ハードウェア要素モジュール１０１０はまた、心臓サイクルにタイミングを合わせたＥＫＧトリガー信号を取得するためのＢＮＣ出力コネクタ１０７６、タブレット１３８との直接（有線接続）通信を容易にするためのＵＳＢ／Ｂ入力コネクタ１０７８（ＢＬＵＥＴＯＯＴＨ（登録商標）のような無線通信が失敗するため）、タブレット１３８のようなデバイスを充電するためのＵＳＢ／Ａ出力コネクタ１０８０、電源プラグ１０８２、オン／オフスイッチ１０８４、緊急停止１０８６、排水管１０８８などを含みうる。静脈リザーバ（流体リザーバ）１２は、キャップ１０９０と圧力センサおよび流体スイッチ接続制御ユニット１０９２を含みうる（図１Ｃ）。  
【００７３】
図２４および２５は、図１Ｃおよび１Ｄに示される心臓血管シミュレータシステム１０に関連する油圧（図２４）および電子回路（図２５）の概略図を示す。これらの図には、図２１および２２で記載したものと同じ要素と機能が含まれているが、図２４には：逆止弁１０６８、ポンプ１０６０、オーバーフロータンク／心房オーバーフローチャンバ１０５８、制御ボード１３７への圧力センサ、そして図２５には：液面スイッチ３２４Ｃを備える動脈オーバーフローチャンバ１０５８、Ｉ／Ｏボード３３３、ＢＮＣ／ＥＫＧ１０７６、および緊急停止１０８６など、図１Ｃおよび１Ｄに示す心臓血管シミュレータシステム１０で記載した機能が追加されている。
【００７４】
図２６Ａおよび図２６Ｂは、いくつかの構成要素が取り外された、図１Ｃおよび１Ｄに示される心臓血管シミュレータシステム１０に関連する支持構造１４２を示している。支持構造１４２は、頭部２３０２をそれに固定し、直線運動でスライドして頭部を１つまたは複数の位置に配置するように構成された細長い本体１４５を有する調節可能な周辺器官／システムシミュレータモジュールマウント１４３を備える：引き込まれた位置、図２６Ａ、または伸ばされた（または部分的に伸ばされた）位置、図２６Ｂ。細長い本体１４５は、チャネル１４９と係合する隆起１４７を含み得、その結果、細長い本体は、開口部に出入りする。調整可能な周辺器官／システムシミュレータモジュールマウント１４３は、より複雑な大動脈形状のより良い支持およびより長い使用を提供する。  
【００７５】
本明細書に記載されているすべての特許および刊行物は、本発明が関係する当業者のレベルを示している。すべての特許および刊行物は、個々の刊行物が参照により組み込まれることが具体的かつ個別に示されている場合と同程度に、参照により本明細書に組み込まれる。  
【００７６】
本発明の特定の形態が示されているが、それは、本明細書に記載および示されている特定の形態または配置に限定されるべきではないことを理解されたい。本発明の範囲から逸脱することなく様々な変更を行うことができることは当業者には明らかであり、本発明は、本明細書および本明細書に含まれる任意の図面／図に示され、記載されるものに限定されると見なされるべきではない。  
【００７７】
当業者は、本発明が、目的を実行し、言及された目的および利点、ならびにそれに固有のものを得るのに十分に適合されていることを容易に理解するであろう。本明細書に記載の実施形態、方法、手順および技術は、現在、好ましい実施形態を代表するものであり、例示的であることが意図されており、範囲の制限として意図されていない。当業者に想起されるであろう変更および他の使用は、本発明の精神に包含され、添付の特許請求の範囲によって定義される。本発明は、特定の好ましい実施形態に関連して記載されてきたが、特許請求される本発明は、そのような特定の実施形態に過度に限定されるべきではないことを理解されたい。実際、当業者に明らかな、本発明を実施するための記載されたモードの様々な修正は、以下の特許請求の範囲内にあることが意図されている。
【図１Ａ】
2022502691.tif 000003
【図１Ｂ】
2022502691.tif 000004
【図１Ｃ】
2022502691.tif 000005
【図１Ｄ】
2022502691.tif 000006
【図２】
2022502691.tif 000007
【図３】
2022502691.tif 000008
【図４Ａ】
2022502691.tif 000009
【図４Ｂ】
2022502691.tif 000010
【図５】
2022502691.tif 000011
【図６】
2022502691.tif 000012
【図７】
2022502691.tif 000013
【図８】
2022502691.tif 000014
【図９】
2022502691.tif 000015
【図１０】
2022502691.tif 000016
【図１１】
2022502691.tif 000017
【図１２】
2022502691.tif 000018
【図１３】
2022502691.tif 000019
【図１４】
2022502691.tif 000020
【図１５−１７】
2022502691.tif 000021
【図１８】
2022502691.tif 000022
【図１９】
2022502691.tif 000023
【図２０】
2022502691.tif 000024
【図２１】
2022502691.tif 000025
【図２２】
2022502691.tif 000026
【図２３Ａ】
2022502691.tif 000027
【図２３Ｂ】
2022502691.tif 000028
【図２３Ｃ】
2022502691.tif 000029
【図２３Ｄ】
2022502691.tif 000030
【図２４】
2022502691.tif 000031
【図２５】
2022502691.tif 000032
【図２６Ａ】
2022502691.tif 000033
【図２６Ｂ】
2022502691.tif 000034
【図２７Ａ】
2022502691.tif 000035
【図２７Ｂ】
2022502691.tif 000036
【図２７Ｃ】
2022502691.tif 000037
【国際調査報告】
2022502691.tif 000038
2022502691.tif 000039